(57)【要約】【課題】光源を直視した場合でも操作者がさほどの眩しさを感じることが無い照明系を備えた点光源を用いたフラットベッド型の原稿読取装置を提供する。【解決手段】フラットヘッド型の原稿読取装置であって、線形イメージセンサによって光学的に読み取る方向に正の屈折力を持つ光学系１０が、点光源８の発光方向に設置された。【選択図】図１
2008311952.tif 000002
【特許請求の範囲】
【請求項１】
平面原稿の直線的な一部領域を読み取るための結像レンズと線形イメージセンサとからなる読み取り光学系と、前記一部領域を複数の点光源で照明する照明系とを有し、前記読み取り光学系と前記照明系とを前記一部領域と直交する方向に機械的に走査することで前記平面原稿の全面を読み取る原稿読取装置であって、
前記線形イメージセンサによって光学的に読み取る方向に正の屈折力を持つ光学系が、前記点光源の発光方向に設置されたことを特徴とする原稿読取装置。
【請求項２】
前記光学系は、前記線形イメージセンサによって光学的に読み取る方向に正の屈折力を持つレンズであり、前記点光源と対をなして設置されることを特徴とする請求項１記載の原稿読取装置。
【請求項３】
前記レンズは、前記線形イメージセンサによって光学的に読み取る方向に正の屈折力を持つ部分を前記点光源と同数一体的に形成して構成されたことを特徴とする請求項２記載の原稿読取装置。
【請求項４】
前記レンズは前記線形イメージセンサによって光学的に読み取る方向に正の屈折力を持つ部分を、前記点光源に対して複数並列させて成形されたことを特徴とする請求項２記載の原稿読取装置。
【請求項５】
前記レンズは、前記線形イメージセンサによって光学的に読み取る方向に正の屈折力を持ち前記点光源に対して複数並列された部分が、前記点光源と同数一体的に形成して構成されたことを特徴とする請求項４記載の画像読取装置。
【請求項６】
前記光学系は、線形イメージセンサによって光学的に読み取る方向に正の屈折力を持つ反射鏡であり、前記点光源と対をなして設置されることを特徴とする請求項１記載の原稿読取装置。
【請求項７】
前記反射鏡は、前記線形イメージセンサによって光学的に読み取る方向に正の屈折力を持つ部分を、前記照明系の光束を走査方向に集光させる円筒形反射鏡と一体的に形成して構成されたことを特徴とする請求項６記載の原稿読取装置。
【請求項８】
前記反射鏡は、前記線形イメージセンサによって光学的に読み取る方向に正の屈折力を持つ部分を前記点光源に対して複数並列させて成形されたことを特徴とする請求項６記載の原稿読取装置。
【請求項９】
前記反射鏡は、前記線形イメージセンサによって光学的に読み取る方向に正の屈折力を持ち前記点光源に対して複数並列された部分が、前記点光源と同数一体的に形成して構成されたことを特徴とする請求項８記載の原稿読取装置。
【発明の詳細な説明】
【技術分野】
【０００１】
本発明は、文書などの平面的な原稿を読み取るフラットベッド型のスキャナに関する。
【背景技術】
【０００２】
一般的な原稿読取装置の概略構成を図２２及び図２３に示す。図２３は斜視図、図２４は断面図である。図示するような原稿読取装置では、原稿の一部領域を光学的に読み取り、さらに読み取り領域を機械的に走査することで原稿全体を読み取る。
【０００３】
原稿１の一方向に帯状をなす読み取り領域２は、管状の光源３や円筒状の凹面反射鏡４などを有する照明系によって照射される。光源３としては、白熱型のハロゲンランプ、蛍光管、連続放電発光型クセノン管などが用いられる。
【０００４】
照明系で照射された読み取り領域２は、結像レンズ５で読み取りユニット６の線形受光部６ａに結像され、その像が電気信号に変換されることで、原稿の当該領域が読み取られる。線形受光部６ａは、ラインセンサとも呼ばれ、受光部が直線的に配列されたリニアＣＣＤなどが広く用いられている。
【０００５】
原稿読み取り装置は、走査の方式によって二つのタイプに分類される。
そのうちの一方は、光源３や反射鏡４などで構成される照明系、結像レンズ５、読み取りユニット６は固定させた状態で、読み取り方向と直交する方向に原稿１を移動させることで原稿１の全面を読み取る方式である。この方式の読取装置は、「シートスルー型ドキュメントスキャナ」とも呼ばれる。
【０００６】
他方は、原稿１は固定した状態で、光源３や反射鏡４などで構成される照明系、結像レンズ５、読み取りユニット６のそれぞれを一体的に移動させることで原稿１の全面を読み取る方式である。この方式の読取装置は、「フラットベッド型ドキュメントスキャナ」とも呼ばれる。
【０００７】
さらにフラットベッド型では、読み取りユニット６は固定させ、照明系と結像レンズ５とを一定の移動比率を保ちながら移動させる走査方式もある。この場合、結像レンズ５の前後などに設置した少なくとも１枚の反射鏡（不図示）を同期移動させることで、原稿読み取り部２と受光部６ａとの光学的な共役関係を保つように工夫されている。
【０００８】
いずれの方式でも、結像レンズ５と読み取りユニット６とにより、原稿の一部である帯状領域が光学的かつ電気的に読み込まれる。この静的な読み取り方向、すなわち帯状の読み取り領域２の長手方向を「主走査方向」と呼ぶこともあるが、本明細書においては「読み取り方向」と称する。さらに、原稿面全体を取り込むため、原稿面又は読み取り光学系を機械的に走査させる。この方向、すなわち読み取り方向と直交する動的な走査方向を「副走査方向」と呼ぶこともあるが、本明細書では「走査方向」と称する。これらの方向は、図２２、図２３を始めとする各図中に矢印付きの一点鎖線で示している。
【０００９】
二つの走査方式のうち、フラットベッド型は原稿台が固定されているため、厚さのある原稿、例えば書籍を読み取ることができる。このため、薄いシート原稿の読み取りに限定されるシートスルー型よりも応用性が高く、利用者に好まれる傾向にある。
【００１０】
しかしながら、厚い装丁の書籍を原稿台ガラス（コンタクトガラスとも言う）に載せた状態では、書籍中央の綴じ部分がガラス面から浮き上がり、その部分の画像がボケることがある。また、その部分に照明光が届かず、陰ることがある。このため、操作者は手で綴じ部分を上から押さえつけながら読み取らせることとなるが、原稿台の覆い（圧板、又は原稿蓋とも言う）を開けたままでの読み取り操作となる。
【００１１】
このとき、読み取り領域２の幅よりも小さな原稿では、原稿からはみ出した部分の照明光が操作者の目に入り、眩しさを感じることとなる。この眩しさの度合いは照明系に使われている光源の形状によって大きく異なる。
【００１２】
最近に至って、図２４に示すような消費電力の少ない固体発光素子７を光源とした読み取り装置が広く用いられるようになっている。固体発光素子７としては、発光ダイオード（ＬＥＤ）が広く知られている。固体発光素子７は、ほぼ点状の発光源８を有し、一定の方向に発光する。発光領域９は、図２４に概略を示すように円錐状となっており、原稿の読み取り領域２のみを有効に照射するため、通常は図２５に示すような円筒状の凹面反射鏡４などと組み合わせて用いる。
【００１３】
１個の固体発光素子７だけでは読み取り方向の照射範囲が狭く、光量も不足するため、多くの場合には図２６に示すように複数個の固体発光素子７を配列して原稿の読み取り領域２全体を照射している。図２６に、複数個の固体発光素子７と反射鏡４とを組み合わせた読取装置の断面構成を示す。
【００１４】
ごく最近にいたるまで、ＬＥＤのような固体発光素子は従来の光源（白熱電球や蛍光管）に比べて高価であり、しかも１個当たりの光量は少なかった。
【００１５】
これらの事情を反映し、この問題を解決しようとする従来技術として特許文献１〜１０があげられる。
【特許文献１】特開２００６−６７５５１号公報
【特許文献２】特開２００６−０４２０１６号公報
【特許文献３】特開２００６−０１７９５２号公報
【特許文献４】特開２００５−２４１６８１号公報
【特許文献５】特開２００５−１１７６０２号公報
【特許文献６】登録特許第３４８１５９９号公報
【特許文献７】特開平１１−２３２９１２号公報
【特許文献８】登録特許第３６５９７７０号公報
【特許文献９】特開平０９−０５０５１０号公報
【特許文献１０】登録特許第２７２５６５０号公報
【発明の開示】
【発明が解決しようとする課題】
【００１６】
光に関して、人間が感じる心理物理量に輝度がある。概念的には、光源から発せられる光量（いわゆる光度）を光源の面積で割った量、すなわち単位面積当たりの光度となる。同じ光量を発する光源であっても、光源の面積が小さいほど輝度は高くなる。
【００１７】
照明系に固体発光素子７を用いた図２６に示したような読取装置では、発光源が点状であるため、図２２に示したような管状の光源と同じ光量を発光する場合でも、光源の輝度が極めて高くなり、それを目視した時に感じる眩しさの度合いが非常に高い。すなわち、このような高輝度の点光源を使った読み取り装置では、管状又は線状の光源を用いた装置に比べ、光源を直視してしまった場合に操作者はより強く眩しさを感じることとなる。
【００１８】
上記特許文献１〜１０は、操作者の目を保護するために光源の眩しさを低減することに関して何ら開示していない。
【００１９】
本発明は係る問題に鑑みてなされたものであり、光源を目視した場合でも操作者がさほどの眩しさを感じることが無い照明系を備えた点光源を用いたフラットベッド型の原稿読取装置を提供することを目的とする。
【課題を解決するための手段】
【００２０】
本発明は、上記目的を達成するために、平面原稿の直線的な一部領域を読み取るための結像レンズと線形イメージセンサとからなる読み取り光学系と、一部領域を複数の点光源で照明する照明系とを有し、読み取り光学系と照明系とを一部領域と直交する方向に機械的に走査することで平面原稿の全面を読み取る原稿読取装置であって、線形イメージセンサによって光学的に読み取る方向に正の屈折力を持つ光学系が、点光源の発光方向に設置されたことを特徴とする原稿読取装置を提供するものである。
【００２１】
本発明においては、光学系は、線形イメージセンサによって光学的に読み取る方向に正の屈折力を持つレンズであり、点光源と対をなして設置されることが好ましい。これに加えて、レンズは、線形イメージセンサによって光学的に読み取る方向に正の屈折力を持つ部分を点光源と同数一体的に形成して構成されることが好ましい。又は、レンズは線形イメージセンサによって光学的に読み取る方向に正の屈折力を持つ部分を、点光源に対して複数並列させて成形されることが好ましく、これに加えて、レンズは、線形イメージセンサによって光学的に読み取る方向に正の屈折力を持ち点光源に対して複数並列された部分が、点光源と同数一体的に形成して構成されることがより好ましい。
【００２２】
また、本発明においては、光学系は、線形イメージセンサによって光学的に読み取る方向に正の屈折力を持つ反射鏡であり、点光源と対をなして設置されることが好ましい。これに加えて、反射鏡は、線形イメージセンサによって光学的に読み取る方向に正の屈折力を持つ部分を、照明系の光束を走査方向に集光させる円筒形反射鏡と一体的に形成して構成されることが好ましい。又は、反射鏡は、線形イメージセンサによって光学的に読み取る方向に正の屈折力を持つ部分を点光源に対して複数並列させて成形されることが好ましく、これに加えて、反射鏡は、線形イメージセンサによって光学的に読み取る方向に正の屈折力を持ち点光源に対して複数並列された部分が、点光源と同数一体的に形成して構成されることがより好ましい。
【発明の効果】
【００２３】
本発明によれば、光源を目視した場合でも操作者がさほどの眩しさを感じることが無い照明系を備えた点光源を用いたフラットベッド型の原稿読取装置を提供できる。
【発明を実施するための最良の形態】
【００２４】
本発明の好適な実施の形態について説明する。図１に、本実施形態にかかる画像読取装置の構成を示す。図示するように、固体発光素子７の前方、すなわち発光方向に正の屈折力を持つ光学系１０が設置されている。
【００２５】
屈折力はパワーとも呼ばれ、焦点距離の逆数として表される。正の屈折力を持つ光学系は、屈折又は反射の作用により、入射した光束を収束させて射出させる。正の屈折力を持つ光学系１０の光学作用により、図示するように実際の固体発光素子７よりも後方に固体発光素子の虚像７ａが形成される。
【００２６】
このとき図の右側（発光方向）に位置する操作者（不図示）には、実際の光源８よりも拡大された光源の虚像（虚光源）８ａが見える。これは、小さな物体を虫眼鏡（凸レンズ）で観察したときに物体が拡大されて見えるのと同じ原理である。操作者から見える光源が虚像８ａとなって大きくなったことで、光源８の輝度も低く知覚される。これにより、光源を目視した時の眩しさが大いに低減される。すなわち、操作者の目を保護できる。
【００２７】
以下、正の屈折力を持たせた光学系の具体的な構成例のいくつかを示す。
【００２８】
〔構成例１〕
光学系１０に正の屈折力を持たせることは、一方向のみに屈折力を持つレンズによって実現できる。図２６に示した従来の原稿読取装置のように、読み取り領域２のみを効率よく照射するため、読み取り方向と直交する走査方向に集光性を持たせた円筒状の凹面反射鏡４が用いられる。このため、光源を拡大視させるレンズにあっては、少なくとも一方向のみに屈折力を持たせれば良く、走査方向には必ずしも屈折力を持たせる必要はない。
【００２９】
図２に、一方向のみに屈折力を持つレンズによって光学系１０に正の屈折力を持たせた構成を示す。レンズ１１には、図示するように一方向（Ａ，Ａ’）のみに正の屈折力を持たせ、他の方向（Ｂ，Ｂ’）には屈折力を持たせない。このような光学特性を持つレンズとしては一方向のみに曲率を有するシリンドリカルレンズが広く知られている。
【００３０】
図３、図４に示すように、正の屈折力を持たせた方向（Ａ，Ａ’）には拡大された光源の虚像８ａができるが、他の方向（Ｂ、Ｂ’）では光源８が実際の大きさのまま見える。この結果、一方向のみに倍率が発生し、図５に示すように、点光源８があたかも線状の光源であるように見える。線状に見える光源の虚像８ａは、本来の点光源８と比べて面積が大きく、それに伴い輝度も低くなる。
【００３１】
レンズ１１と固体発光素子７とは、図６に示すような配置を保ちながら、図７に示すように互いがそれぞれに対をなす複数組を反射鏡４に向かい合わせて設置する。ここで、レンズ１１に屈折力を持たせた方向（Ａ，Ａ’）は原稿の読み取り方向となっている。図８に、レンズ１１、固体発光素子７、集光反射鏡４と原稿１、結像レンズ５、読み取りユニット６との概略的な位置関係を表した断面図を示す。
【００３２】
レンズ１１の目的は眩しさの低減であり、結像系に用いるレンズのような高い光学性能は要求されない。また、一般的に固体発光素子７は、高熱を発することが無いため、レンズ１１はプラスチック成形で容易に作成可能である。
【００３３】
〔構成例２〕
図９、図１０に、一方向のみに屈折力を持つ反射鏡１２によって光学系１０に正の屈折力を持たせた構成を示す。一方向に正の屈折力を持つ反射鏡１２は、円筒状の凹面を反射面とすることで実現できる。このような反射鏡はシリンドリカルミラーとも呼ばれる。
【００３４】
シリンドリカルミラーはシリンドリカルレンズと同様の作用があり、図９に示すように、正の屈折力を持たせた方向（Ａ，Ａ’）には拡大された虚像８ａができるが、他の方向（Ｂ，Ｂ’）では光源８が実際の大きさのまま見える。
【００３５】
反射鏡１２と固体発光素子７とは、図１０に示すような配置を保ちながら、図１１に示すように互いがそれぞれに対をなす複数組を走査方向に集光性を持たせた円筒状の凹面反射鏡４に向かい合わせて設置する。反射鏡１２に屈折力を持たせた方向（Ａ，Ａ’）は、原稿の読み取り方向となっている。図１２に、反射鏡１２、固体発光素子７、集光反射鏡４と、原稿１、結像レンズ５、読み取りユニット６との概略的な位置関係を表した断面図を示す。
【００３６】
凹面反射鏡４の目的は眩しさの低減であり、高い光学性能は要求されないため、板金プレスなどの金属加工で容易に作成可能である。
【００３７】
〔構成例３〕
図１３に、読み取り方向のみに屈折力を持ち複数の光源と対をなすレンズが一体に形成された構成を示す。
図２に示したシリンドリカルレンズ１１を、複数個の固体発光素子７と対をなすように位置関係を保ちながら、一体的に形成した複合レンズ１３を用いている。複合レンズ１３の個々のレンズ部分１３ａには、一方向のみに屈折力を持つレンズと同様の作用がある。ここで示す原稿１、結像レンズ５、読み取りユニット６との位置関係は、図８に示した断面図と同様である。
【００３８】
このように、各固体発光素子７と対をなす個々のレンズ１３ａを一体的に形成することで、光源との位置調整が容易となる。このような複合レンズ１３もプラスチック成形によって容易に形成可能である。
【００３９】
〔構成例４〕
図１４に、読み取り方向のみに屈折力を持ち複数の光源と対をなす反射鏡が一体に形成された構成を示す。
図示する構成においては、図９、図１０に示した円筒状の反射鏡１２を、複数個の固体発光素子７と対をなすように位置関係を保ちながら、一体的に成形した複合反射鏡１４を用いている。複合反射鏡１４の個々の反射部分１４ａには、一方向のみに屈折率をもつ反射鏡と同じ作用がある。図１５に、原稿１、結像レンズ５、読み取りユニット６との位置関係を示す。
【００４０】
このように、各固体発光素子７と対をなす個々の反射鏡１４ａを一体的に形成することで、光源との位置調整が容易となる。このような複合反射鏡１４もプレス加工などで容易に形成可能である。
【００４１】
〔構成例５〕
図１６に、読み取り方向のみに屈折力を持つ複数のレンズを一つの光源に対して並設させて成形した構成を示す。レンズ１５は、一方向（Ａ，Ａ’）のみに正の屈折力を持たせたシリンドリカルレンズ１１を、一つの光源に対して複数並列させた形となっている。この形状に成形されたレンズは、レンチキュラーレンズとして広く知られている。レンチキュラーレンズ１５を用いた時の作用を図１７に示す。固体発光素子７及び点光源８は、図示するようにそれぞれシリンドリカルレンズ部分１５ａ〜１５ｃに対応して、固体発光素子の虚像７ａ〜７ｃ、点光源の虚像８ａ〜８ｃがそれぞれ複数個作られる。このときに、一つ一つの虚像８ａ〜８ｃが実際の光源８よりも大きく見えるだけでなく虚像の個数が増えることで、一つ当たりの光源の輝度はさらに低下する。この例での原稿１、結像レンズ５、読み取りユニット６との位置関係は、図８に示した断面図と同様である。
【００４２】
このように、曲面部分の深さが比較的に小さなレンズ１５ａ〜１５ｃを並列させたことで、光学部材全体としての厚さは薄くなる。また、一つの光源に対して複数の虚光源８ａ〜８ｃが作られ、虚光源一つ当たりの輝度はさらに低下する。このようなレンチキュラーレンズ１５もプラスチック成形によって容易に形成可能である。
【００４３】
〔構成例６〕
図１８に、読み取り方向のみに屈折力を持つ複数の反射鏡を一つの光源に対して並設させて成形した構成を示す。反射鏡１６は、一方向（Ａ，Ａ’）のみに正の屈折力を持たせた円筒状反射鏡を、一つの光源に対して複数並列させた形となっている。固体発光素子７によって発光された光束は、反射鏡１６の個々の反射鏡部分１６ａ〜１６ｃによって分割的に反射され、複数の発光領域９ａ〜９ｃを照射することとなる。反射鏡１６による作用は、図１７に図示した読み取り方向のみに屈折力を持つレンズが一つの光源に対して複数のレンズを並設させて成形されたレンズである構成とほぼ同様で、操作者からは複数の光源の虚像８ａ〜８ｃが見えることとなる。この例での原稿１、結像レンズ５、読み取りユニット６との位置関係は、図１２に示した断面図と同様である。
【００４４】
曲面部分の深さが比較的に小さな反射鏡１６ａ〜１６ｃを並列させたことで、光学部材全体としての厚さは薄くなる。また、一つの光源に対して複数の虚光源８ａ〜８ｃが作られ、虚光源一つ当たりの輝度はさらに低下する。このような反射鏡１６もプレス加工などによって容易に形成可能である。
【００４５】
〔構成例７〕
図１９に、読み取り方向のみに屈折力を持ち複数の光源と対をなすレンズが、一体的に並列成形された構成を示す。図１６、図１７に示したレンチキュラーレンズ１５を、複数個対をなすように位置関係を保ちながら、一体的に成形した複合レンズ１７を用いている。複合レンズ１７の個々のレンチキュラーレンズ部分１７ａは、一方向のみに正の屈折力を持ち、光源を拡大するとともに複数の虚像を作り出す作用を持つ。この例での原稿１、結像レンズ５、読み取りユニット６との位置関係は、図８に示した断面図と同様である。
【００４６】
このような複合レンズ１７を用いることにより、光源との位置調整が容易となることに加え、複数の虚光源が作られるため、虚光源一つ当たりの輝度が低下する。複合レンズ１７は、プラスチック成型によって容易に形成可能である。
【００４７】
〔構成例８〕
図２０に、読み取り方向のみに屈折力を持ち複数の光源と対をなす反射鏡が、一体的に並列成形された構成を示す。図１８に示した円筒を複数並列させた反射鏡１６を、複数個の固体発光素子７と対をなすように位置関係を保ちながら、一体的に成形した複合反射鏡１８を用いている。反射鏡１８の読み取り方向（Ａ，Ａ’）での断面形状と、固体発光素子７との位置関係を図２１に示す。反射鏡１８の個々の並列円筒反射面部分１８ａは、一方向のみに正の屈折力を持ち、光源を拡大するとともに複数の虚像を作り出す作用を持つ。この例での原稿１、結像レンズ５、読み取りユニット６との位置関係は、図２７に示した断面図と同様である。
【００４８】
このような反射鏡１６を用いることにより、光源との位置調整が容易となることに加え、複数の虚光源が作られるため、虚光源一つ当たりの輝度が低下する。反射鏡１６は、プレス加工などによって容易に形成可能である。
【００４９】
以上に例示したいずれの構成も、固体発光素子の前方に正の屈折力を持つ光学系を設置することにより、固体発光素子よりも後方に固体発光素子の虚像（虚光源）を作ることができる。この虚像は実際の固体発光素子よりも大きく見えるため、点光源の輝度が下がり、操作者が感じる眩しさを低減できる。
【００５０】
このように、原稿読み取り装置の照明系に小さな高輝度の点光源を用いながらも、操作者からは大きな点光源、細長い線状光源、又は複数に分割された光源として見えるため、光源本来の光量を保ちながら見かけ上の輝度を下げられる。これにより、光源を直視したときの眩しさを感じる度合いが低減され、操作者の目を保護できる。
【００５１】
なお、上記実施形態は本発明の好適な実施の一例であり、本発明はこれに限定されることなく様々な変形が可能である。
【図面の簡単な説明】
【００５２】
【図１】本発明を好適に実施した原稿読取装置の構成を示す図である。
【図２】一方向のみに屈折力を持つレンズによって光学系に正の屈折力を持たせた構成を示す図である。
【図３】一方向のみに屈折力を持つレンズの作用を示す図である。
【図４】一方向のみに屈折力を持つレンズの作用を示す図である。
【図５】光源の虚像の概念を示す図である。
【図６】一方向のみに屈折力を持つレンズと固体発光素子との位置関係を示す図である。
【図７】固体発光素子の配置状態を示す図である。
【図８】原稿、結像レンズ及び読み取りユニットと固体発光素子との位置関係を示す図である。
【図９】一方向のみに屈折力を持つ反射鏡の作用を示す図である。
【図１０】一方向のみに屈折率を持つ反射鏡と固体発光素子との位置関係を示す図である。
【図１１】固体発光素子の配置状態を示す図である。
【図１２】原稿、結像レンズ及び読み取りユニットと固体発光素子との位置関係を示す図である。
【図１３】読み取り方向のみに屈折力を持つレンズが複数の光源と対をなして一体となった構成を示す図である。
【図１４】読み取り方向のみに屈折力を持つ反射鏡が複数の光源と対をなして一体となった構成を示す図である。
【図１５】原稿、結像レンズ及び読み取りユニットと固体発光素子との位置関係を示す図である。
【図１６】読み取り方向のみに屈折力を持つレンズが、一つの光源に対して複数のレンズを並設させて成形されたレンズである構成を示す図である。
【図１７】レンチキュラーレンズの作用を示す図である。
【図１８】読み取り方向のみに屈折力を持つ反射鏡が、一つの光源に対して複数の反射鏡を並設させて成形された反射鏡である構成を示す図である。
【図１９】読み取り方向のみに屈折力を持つ並列成形されたレンズが、複数の光源と対をなして一体的に形成した構成を示す図である。
【図２０】読み取り方向のみに屈折力を持つ並列成形された反射鏡が、複数の光源と対をなして一体的に形成した構成を示すずである。
【図２１】反射鏡の読み取り方向での断面形状と、固体発光素子との位置関係を示す図である。
【図２２】従来の原稿読取装置の概略構成を示す図である。
【図２３】従来の原稿読取装置の概略構成を示す図である。
【図２４】固体発光素子及びその照射領域を示す図である。
【図２５】固体発光素子と反射鏡との位置関係を示す図である。
【図２６】固体発光素子を用いた原稿読取装置の概略構成を示す図である。
【図２７】固体発光素子を用いた原稿読取装置の概略構成を示す図である。
【符号の説明】
【００５３】
１    原稿
２    読み取り領域
３    管状の光源
４    反射鏡
５    結像レンズ
６    読み取りユニット
６ａ    線形受光部
７    固体発光素子
７ａ、７ｂ、７ｃ    固体発光素子の虚像
８    光源
８ａ、８ｂ、８ｃ    光源の虚像（虚光源）
９、９ａ、９ｂ、９ｃ    固体発光素子の発光領域
１０    光学系
１１、１３、１５、１７    レンズ
１２、１４、１６、１８    反射鏡
１３ａ、１７ａ    レンズ部分
１４ａ、１８ａ    反射鏡部分
【図１】
2008311952.tif 000003
【図２】
2008311952.tif 000004
【図３】
2008311952.tif 000005
【図４】
2008311952.tif 000006
【図５】
2008311952.tif 000007
【図６】
2008311952.tif 000008
【図７】
2008311952.tif 000009
【図８】
2008311952.tif 000010
【図９】
2008311952.tif 000011
【図１０】
2008311952.tif 000012
【図１１】
2008311952.tif 000013
【図１２】
2008311952.tif 000014
【図１３】
2008311952.tif 000015
【図１４】
2008311952.tif 000016
【図１５】
2008311952.tif 000017
【図１６】
2008311952.tif 000018
【図１７】
2008311952.tif 000019
【図１８】
2008311952.tif 000020
【図１９】
2008311952.tif 000021
【図２０】
2008311952.tif 000022
【図２１】
2008311952.tif 000023
【図２２】
2008311952.tif 000024
【図２３】
2008311952.tif 000025
【図２４】
2008311952.tif 000026
【図２５】
2008311952.tif 000027
【図２６】
2008311952.tif 000028
【図２７】
2008311952.tif 000029